(57)【要約】      （修正有）【課題】片手での操作で消しゴムの滓などのゴミを取り除くことができ、しかも低コストにて製作できる卓上クリーナーを提供する。【解決手段】卓上クリーナー１００は頭部１と腹部３から成り、夫々は中空の収縮復元可能な弾性体で形成されている。頭部１は、楕円体であって吸込み管２が設けられている。頭部１と腹部３は夫々が弾性体であるので、内部中空が押し潰された形態と、内部中空が復元された形態との間で変形できる。頭部１と腹部３とは、夫々の中空を連通させた状態でコネクタ５により脱着可能に接続されている。腹部３の内部空間の空気を外気に対して一方向に排出する空気抜き口４が腹部３に設けられている。【選択図】図１
0003182548.tif 000002
【実用新案登録請求の範囲】
【請求項１】
中空とされた内部空間に外気からの空気を吸込む吸込み管が設けられ、前記内部の中空を圧縮可能なように弾性体で形成された頭部と、
中空とされた内部空間を圧縮可能なように弾性体で形成され、前記頭部とコネクタにより脱着可能に接続される腹部とを有し、前記頭部と腹部の夫々の内部空間が前記コネクタを介して連通され、かつ、
前記腹部の内部空間の空気を外気に対して一方向に排出する空気抜き口が、前記腹部に設けられていることを特徴とする卓上クリーナー。
【請求項２】
前記コネクタは、前記頭部側の内部中空から腹部側の内部中空に一方的に空気を流す弁体を有することを特徴とする請求項１の卓上クリーナー。
【請求項３】
前記頭部は楕円体であり、前記腹部は円柱状若しくは楕円体であることを特徴とする請求項１の卓上クリーナー。
【考案の詳細な説明】
【技術分野】
【０００１】
本考案は、卓上から消しゴムの滓などのゴミを取り除く卓上クリーナーに関する。
【背景技術】
【０００２】
テーブル等から消しゴムの滓やタバコの灰などのゴミを吸引する卓上クリーナーが知られている。その中で、手動によるものが例えば特許文献１〜４に開示されている。そのうち、特許文献１では、空気取入れ孔を有する弾性可能な中空操作部の底部にゴミ吸込み収集部を取付け、ゴミ吸込み収集部の前半部に下方に向けて開口させた吸込み口を設けている。中空操作部を圧縮して空気を押し出すと吸込み口に生じた負圧によりゴミを吸込み、ゴミ吸込み収集部に堆積させる。一方、特許文献１〜３の技術とは逆に、空気を噴出して正圧により、ゴミを収集する技術が特許文献４に開示されている。また、特許文献５には、集塵室の拡張によりゴミを吸込むものが開示されている。
【先行技術文献】
【特許文献】
【０００３】
【特許文献１】実開昭５７―２０２８４７号
【特許文献２】実開昭５９―４８３５９号
【特許文献３】実登３０１９９４７号
【特許文献４】実開昭６２―２３６５７号
【特許文献５】実開昭６３―７６２４１号
【考案の概要】
【考案が解決しようとする課題】
【０００４】
しかし乍ら、従来の卓上クリーナーにおいては、吸込み口でゴミを覆ってしまい、ゴミが捕獲されたかどうかは、卓上クリーナーを持ち上げてみないことには判別できない。タバコの灰については、吸込み口の周囲で押し潰して付着させないように慎重に吸込み口を宛がわなければならず、取り扱いが難しい。
【０００５】
本考案は、片手での操作でゴミを狙い撃ち的に取り除くことができ、しかも構造が簡単で、低コストにて製作し得る卓上クリーナーを提供することを目的とする。
【課題を解決するための手段】
【０００６】
上記目的を達成するために本考案は、中空とされた内部空間に外気からの空気を吸込む吸込み管が設けられ、前記内部の中空を圧縮可能なように弾性体で形成された頭部と、中空とされた内部空間を圧縮可能なように弾性体で形成され、前記頭部とコネクタにより脱着可能に接続される腹部とを有し、前記頭部と腹部の夫々の内部空間が前記コネクタを介して連通され、かつ、前記腹部の内部空間の空気を外気に対して一方向に排出する空気抜き口が、前記腹部に設けられていることを特徴とする。
【考案の効果】
【０００７】
本考案によれば、頭部及び腹部を押し潰した状態で、吸込み管をゴミに近づけて元の形に復元させると、ゴミが腹部に向けて取り込まれる。この際、吸込み管はゴミを覆うものではなく、両者が目視できる状態であるので、ゴミが卓上クリーナーに吸込まれたか否かは直ちに、判別できる。また、吸込み管をゴミに接触させる必要が無いため、ゴミを押し潰すことも、ゴミにより吸込み管２が汚染される恐れも低下する。
【図面の簡単な説明】
【０００８】
【図１】卓上クリーナーを示す図である。
【図２】卓上クリーナーの使用状態を示す図である。
【図３】他の実施例を示す図である。
【考案を実施するための形態】
【０００９】
図１において、卓上クリーナー１００は頭部１と腹部３とから成り、夫々は中空の収縮復元可能な弾性体で形成され、全体が掌で握れる程度の大きさである。頭部１は、楕円体であって吸込み管２が設けられている。吸込み管２は、頭部１の内部中空に外気を連通している。腹部３は、円柱状である。頭部１と腹部３は夫々が弾性体であるので、内部中空が押し潰された形態と、内部中空が復元された形態との間で変形できる。このような変形は、卓上クリーナー１００が手に持たれたときに、指により加えられる圧縮力によりなされる。吸込み管２の内径は細いものの方が、吸込み力が大きくなる。
【００１０】
頭部１と腹部３とは、夫々の中空を連通させた状態でコネクタ５により脱着可能に接続されている。コネクタ５は、本例では、頭部１側の挿込口５ａと、腹部３側の挿入口５ｂが互いに弾性体で形成されて嵌合する構成となっている。コネクタ５を分離すると、図１Ｄに示すように、頭部１と腹部３とが分割される。尚、コネクタ５として、差込口５ａ及び挿入口５ｂを円筒管状にして、差込口５ａの周囲に雄ネジを設け、挿入口５ｂの内側に雌ネジを設けて互いに螺合する構成でも良い。
【００１１】
図１Ｂは、卓上クリーナー１００を吸込み管２の反対側から見た状態を示している。腹部３の高さ方向の中心より高い位置に、内部の空洞に貫通する空気抜き口４と、空気抜き口４を塞ぐ弁体７が設けられている。弁体７は、空気の流れを腹部３内から外気への一方通行とするものであり、腹部３が押し潰された形態となる過程で開口し、腹部３が元の形態に復元される過程で閉塞される。
【００１２】
図２は、卓上クリーナー１００の使用状態を示している。図２Ａにおいて、卓上クリーナー１００を手ｈに握る。頭部１を親指で上から抱え、他の指と掌で腹部３を握る。図２Ｂにおいて、頭部１を親指で押さえ込むと、図１Ｃに示すように頭部１の内部中空が圧縮され、頭部１の頭頂部の壁部６が破線で示すように挿入口５ａの内部開口を塞ぐ。この結果、コネクタ５による頭部１と腹部３との中空を連通させた状態が途切れる。次に、図２Ｃに示すように腹部３を掌で握りつぶした状態で、ゴミｔに対して吸込み管２を近づける。
【００１３】
頭部１に対する圧縮を解き、頭部１が元の形態に復元する際に吸込み管２内に負圧が生じ、ゴミｔが頭部１内に吸込まれる。また、掌による腹部３の圧縮を解くと、腹部３が元の形態に復元し、頭部１に吸込まれたゴミｔは、さらに腹部３内に移動する。腹部３はゴミの収集場所であり、吸込み管２から吸込まれた空気は、腹部３の空気抜き口４から排出され、ゴミｔは腹部３に貯溜するようになっている。
【００１４】
吸込み管２は、ゴミｔを覆うものではなく、両者が目視できる状態で近づけるだけなので、ゴミｔが卓上クリーナー１００に吸込まれたか否かは直ちに、判別できる。また、吸込み管２をゴミｔに接触させる必要が無く、ゴミｔを押し潰すことも、ゴミｔにより吸込み管２が汚染される恐れも低下する。
【００１５】
腹部３からゴミｔを取り出すためには、コネクタ５を分離させ、挿込口５ｂを下に向けてゴミｔを落下させる。尚、頭部１と腹部３を透明の素材で形成しておけば、内部のゴミｔの状態が観察できる。
【００１６】
上記の使用例は、頭部１から腹部３にゴミｔを送り出すために、頭部１と腹部３の復元に順序を持たせたが、頭部１の内部中空より腹部３の内部中空の容量を大きくし、腹部３が元の形態に復元するまでに時間が遅れるようにしておいても良い。
【００１７】
図３は、他の実施例を示している。図３Ａは、頭部１の吸込み管２に対して弁体８ａを設け、また、頭部１の差込口５ａに対して弁体８ｂを設けた例である。弁体８ａは吸込み管２から頭部１の内部中空への一方通行に空気を流すため、頭部１が元の形態に復元する過程で開口するものであり、押し潰される過程では閉塞している。また弁体８ｂは、頭部１から腹部３の内部中空に向けて一方的に空気を流すためのもので、腹部３が元の形態に復元する際に腹部３側に負圧が生じると開口し、通常は差込口５ａを閉塞している。弁体８ａ、8ｂは、いずれか一方、または両方の弁体を設けても良い。
【００１８】
尚、弁体８ｂを頭部１に設ける代わりに腹部３側に設け、腹部３が元の形態に復元する過程で開口し、押し潰される過程では閉塞するものとしても良い。弁体８ｂを頭部１側に設けることにより、頭部１と腹部３を分離したときに、頭部１側に残ったゴミｔが落下しないという利点がある。
【００１９】
図３Ｂは、卓上クリーナー１００の他の形態を示している。この例では、腹部９は先に説明した腹部３とは、頭部１と同様な楕円体の形状をしている点でのみ異なる。この卓上クリーナー１００は、頭部１と腹部９とを上下から親指と他の指との間で押し潰して使用する。このような例においては、頭部１側に弁体８ａを設けると、ゴミｔが吸込み管２から逆流して出てくる恐れを抑制できるのでよい。
【００２０】
上記実施例においては、腹部３、或いは腹部９の空気抜き口４に弁体７を設けたが、弁体７を用なくともよい。この場合、頭部１或いは腹部３、９を元の形態に復元する際に、使用する人の掌或いは指を用いて空気抜き口４を塞ぐことにより、空気抜き口４を一方通行的に空気を流す空気抜き口とする。
【００２１】
卓上クリーナー１００は、弾性体である全体を押し潰して使用するものであるため、手のグリップ体操の代わりに用いることができる。また、頭部１と腹部３或いは９からなる生物的な外観を有しているため、卓上クリーナー１００を握り潰すことが仕事中のストレス解消に効果がある。
【符号の説明】
【００２２】
１００…卓上クリーナー
１…頭部
２…吸込み管
３、９…腹部
４…空気抜き口
５…コネクタ
７…弁体
８ａ、8ｂ…弁体
【図１】
0003182548.tif 000003
【図２】
0003182548.tif 000004
【図３】
0003182548.tif 000005